(57)【要約】  モバイル加入者端末（ＭＳＳ）が基地局（ＢＳ）を変更する無線通信システムにおける技術間ハンドオーバを実施する方法は、最初に、ＭＳＳがハンドオーバすることができる１または複数のターゲットＢＳを見つける。各ターゲットＢＳによって使用される技術が識別され、ＭＳＳによってサポートされる技術が判定される。ＭＳＳのハンドオーバは、ＭＳＳが通信することができるターゲットＢＳに対して実施される。
2008535401.tif 000002
【特許請求の範囲】
【請求項１】
モバイル加入者端末（ＭＳＳ）が基地局（ＢＳ）を変更する無線通信システムにおける技術間ハンドオーバを実施する方法であって、
前記ＭＳＳがハンドオーバすることができる１または複数のターゲットＢＳを見つけるステップと、
各ターゲットＢＳによって使用される技術を識別するステップと、
前記ＭＳＳによってサポートされる技術を判定するステップと、
前記ＭＳＳが通信することができるターゲットＢＳに対して前記ＭＳＳのハンドオーバを実施するステップと
を備えることを特徴とする方法。
【請求項２】
前記見つけるステップは、前記１または複数のターゲットＢＳそれぞれから通知メッセージを送るステップを含むことを特徴とする請求項１に記載の方法。
【請求項３】
前記通知メッセージは、前記ＢＳによって使用される、前記動作用技術を識別する動作用技術識別子を含むことを特徴とする請求項２に記載の方法。
【請求項４】
前記識別するステップは、各ＢＳによって動作用技術識別子を伝送するステップを含むことを特徴とする請求項１に記載の方法。
【請求項５】
モバイル加入者端末（ＭＳＳ）と、サービング基地局（ＢＳ）と、１または複数のターゲットＢＳと、を有する無線通信システムにおける技術間ハンドオーバを実施する方法であって、
前記サービングＢＳから前記ＭＳＳに対して、前記１または複数のターゲットＢＳと、各ＢＳ向けの動作用技術と、を識別する近隣通知メッセージを送るステップと、
前記１または複数のターゲットＢＳから選択される候補ＢＳのリストを識別するステップと、
各ＢＳからの信号品質を判定するために、前記ＭＳＳを前記各候補ＢＳに同期させるステップと、
ハンドオーバ用に好ましいＢＳを判定するステップと、
前記好ましいＢＳへのハンドオーバを実施するステップと
を備えることを特徴とする方法。
【請求項６】
前記ハンドオーバを開始するステップと、
前記サービングＢＳから各候補ＢＳにハンドオーバ事前通知メッセージを送るステップと、
前記サービングＢＳにて、各候補ＢＳからハンドオーバ事前通知応答メッセージを受信するステップと
をさらに備えることを特徴とする請求項５に記載の方法。
【請求項７】
前記事前通知メッセージは、前記ＭＳＳに対する所望されるサービス品質（ＱｏＳ）レベルを含むことを特徴とする請求項６に記載の方法。
【請求項８】
前記事前通知応答メッセージは、前記ＢＳが提供し得るＱｏＳレベルを含むことを特徴とする請求項７に記載の方法。
【請求項９】
前記判定するステップは、前記ＭＳＳによって所望される前記ＱｏＳレベルを提供し得るＢＳを選択するステップを含むことを特徴とする請求項８に記載の方法。
【請求項１０】
前記開始するステップは、前記同期するステップの後に、前記ＭＳＳによってトリガされることを特徴とする請求項６に記載の方法。
【請求項１１】
前記トリガは、前記ＭＳＳが前記サービングＢＳにハンドオーバ要求メッセージを送ることであることを特徴とする請求項１０に記載の方法。
【請求項１２】
前記開始するステップは、前記識別するステップの前に、前記サービングＢＳによってトリガされることを特徴とする請求項６に記載の方法。
【請求項１３】
前記サービングＢＳから前記ＭＳＳに対して、候補ＢＳの前記リストと、各候補ＢＳ用の前記動作用技術と、を含むハンドオーバ要求メッセージを送るステップをさらに備えることを特徴とする請求項１２に記載の方法。
【請求項１４】
前記実施するステップは、
前記好ましいＢＳを識別するハンドオーバ応答メッセージを前記サービングＢＳから前記ＭＳＳに送るステップと、
ハンドオーバ確認メッセージを前記サービングＢＳから前記好ましいＢＳに送るステップと、
ハンドオーバ指示メッセージを前記ＭＳＳから前記サービングＢＳに送るステップと、
前記ＭＳＳを前記好ましいＢＳに同期させるステップと
を含むことを特徴とする請求項５に記載の方法。
【請求項１５】
少なくとも１つの近隣にある基地局（ＢＳ）を含む無線通信システムにおける技術間ハンドオーバに関連して使用するための近隣通知メッセージであって、
メッセージを識別するメッセージタイプフィールドと、
近隣にあるＢＳの数を示す近隣局数フィールドと、
各近隣ＢＳ用の情報ブロックであって、
近隣ＢＳ識別フィールドと、
前記近隣ＢＳの動作用技術を識別する動作用技術フィールドと、
前記近隣ＢＳによって使用されるダウンリンク周波数を識別する物理周波数フィールドと、
前記メッセージのいずれかの部分が変化したかどうかを示す構成変更カウントフィールドと、
前記近隣ＢＳの１または複数のパラメータを識別するｔｙｐｅ−ｌｅｎｇｔｈ−ｖａｌｕｅエンコード近隣情報フィールドと
を含む情報ブロックと、
前記メッセージの内容を検証するハッシュメッセージ認証コードと
を備えることを特徴とするメッセージ。
【請求項１６】
少なくとも１つの近隣にある基地局（ＢＳ）を含む無線通信システムにおける技術間ハンドオーバに関連して使用するための近隣報告メッセージであって、
メッセージを識別するメッセージタイプフィールドと、
近隣にあるＢＳの数を示す近隣局数フィールドと、
各近隣ＢＳ用の情報ブロックであって、
近隣ＢＳ識別フィールドと、
前記近隣ＢＳの動作用技術を識別する動作用技術フィールドと、
前記近隣ＢＳによって使用されるダウンリンク周波数を識別する物理周波数フィールドと、
前記近隣ＢＳの１または複数のパラメータを識別するｔｙｐｅ−ｌｅｎｇｔｈ−ｖａｌｕｅエンコード近隣情報フィールドと
を含む情報ブロックと
を備えることを特徴とするメッセージ。
【請求項１７】
サービング基地局（ＢＳ）と、少なくとも１つの近隣にあるＢＳと、を含む無線通信システムにおける技術間ハンドオーバに関連して使用するためのＢＳ側起動ハンドオーバ要求メッセージであって、
メッセージを識別するメッセージタイプフィールドと、
前記サービングＢＳがネットワーク支援ハンドオーバをサポートするかどうかを識別するネットワーク支援ハンドオーバーサポートフィールドと、
各近隣ＢＳ用の情報ブロックであって、
近隣ＢＳ識別フィールドと、
前記近隣ＢＳによって提供されるサービスのレベルを示すサービスレベル予測フィールドと、
前記近隣ＢＳの動作用技術を識別する動作用技術フィールドと
を含む情報ブロックと、
前記メッセージの内容を検証するハッシュメッセージ認証コードと
を備えることを特徴とするメッセージ。
【請求項１８】
少なくとも１つの近隣にある基地局（ＢＳ）を含む無線通信システムにおける技術間ハンドオーバに関連して使用するためのモバイル加入者端末側起動ハンドオーバ要求メッセージであって、
メッセージを識別するメッセージタイプフィールドと、
各近隣ＢＳ用の情報ブロックであって、
近隣ＢＳ識別フィールドと、
前記近隣ＢＳの動作用技術を識別する動作用技術フィールドと、
前記近隣ＢＳに対する搬送波対干渉雑音比（ＣＩＮＲ）値を識別するＢＳ ＣＩＮＲ平均値フィールドと、
前記近隣ＢＳによって提供されるサービスのレベルを示すサービスレベル予測フィールドと
を含む情報ブロックと、
前記近隣ＢＳ用の前記ハンドオーバ開始時刻を識別する推定ハンドオーバ開始フィールドと、
前記メッセージの内容を検証するハッシュメッセージ認証コードと
を備えることを特徴とするメッセージ。
【請求項１９】
少なくとも１つの近隣にある基地局（ＢＳ）を含む無線通信システムにおける技術間ハンドオーバに関連して使用するためのＢＳハンドオーバ応答メッセージであって、
メッセージを識別するメッセージタイプフィールドと、
前記近隣ＢＳ用の前記ハンドオーバ開始時刻を識別する推定ハンドオーバ開始フィールドと、
各近隣ＢＳ用の情報ブロックであって、
近隣ＢＳ識別フィールドと、
前記近隣ＢＳの動作用技術を識別する動作用技術フィールドと、
前記近隣ＢＳによって提供されるサービスのレベルを示すサービスレベル予測フィールドと
を含む情報ブロックと、
前記メッセージの内容を検証するハッシュメッセージ認証コードと
を備えることを特徴とするメッセージ。
【請求項２０】
少なくとも１つの近隣にある基地局（ＢＳ）を含む無線通信システムにおける技術間ハンドオーバに関連して使用するためのハンドオーバ指示メッセージであって、
メッセージを識別するメッセージタイプフィールドと、
ハンドオーバの状況を示すハンドオーバ指示タイプフィールドと、
前記ハンドオーバを受信するためのターゲットＢＳを識別するターゲットＢＳ識別フィールドと、
前記近隣ＢＳの動作用技術を識別する動作用技術フィールドと、
前記メッセージの内容を検証するハッシュメッセージ認証コードと
を備えることを特徴とするメッセージ。
【請求項２１】
第１の動作用技術を用いるサービング基地局（ＢＳ）から、第２の動作用技術を用いるターゲットＢＳへの技術間ハンドオーバを実施するように構成されたモバイル加入者端末（ＭＳＳ）であって、
送信機／受信機と、
前記送信機／受信機と通信するプロセッサであって、技術タイプ判定デバイスを含むプロセッサと、
前記技術タイプ判定デバイスと通信する第１の動作用技術部と、
前記技術タイプ判定デバイスと通信する第２の動作用技術部であって、前記第１の動作用技術部とは異なる動作技術を用いるように構成された第２の動作用技術部とを備え、
前記技術タイプ判定デバイスは、前記サービングＢＳおよび前記ターゲットＢＳからのメッセージを受信するように構成され、前記技術タイプ判定デバイスは、適切な動作用技術部に前記メッセージを渡すことを特徴とするＭＳＳ。
【請求項２２】
前記プロセッサは、前記送信機／受信機および前記技術タイプ判定デバイスと通信する信号プロセッサをさらに備え、前記信号プロセッサは、前記信号プロセッサは、前記送信機／受信機から前記技術タイプ判定デバイスに対してメッセージを渡すように構成されることを特徴とする請求項２１に記載のＭＳＳ。
【発明の詳細な説明】
【技術分野】
【０００１】
本発明は主にハンドオーバ手順に関し、より詳細には、８０２．１６のハンドオーバ手順を用いた技術間ハンドオーバのサポートに関する。
【背景技術】
【０００２】
ＩＥＥＥ８０２．１６における現在の仕様（ＷＩＭＡＸ）は、ＩＥＥＥ８０２．１６に従って動作する基地局（ＢＳ）の間のモバイル加入者端末（ＭＳＳ）の移動性のサポートを含む。無線／モバイル技術の進歩および複数のＷＬＡＮ技術（たとえば、ＩＥＥＥ８０２．１１ａ、８０２．１１ｂ、８０２．１１ｇ、８０２．１１ｎ、８０２．１６、８０２．２０、ＧＳＭ、ＧＰＲＳ、ＣＤＭＡ２０００、ＵＭＴＳなど）の共存に伴い、異なる技術に従って動作するＢＳの間の移動性をサポートする必要がある。既存のＩＥＥＥ８０２．１６仕様は、この目的にかなった基盤を提供するが、その仕様において定義されるメッセージのほとんどは、ＢＳおよびＭＳＳが通信用に使用している技術を定義するフィールドを欠いている。
【発明の開示】
【発明が解決しようとする課題】
【０００３】
ハンドオーバのターゲットとして利用可能な様々な技術をマルチモード端末が理解できるためには、既存のメッセージ形式にさらに修正を加える必要がある。
【０００４】
８０２．１６の基本動作の一部は、近隣にあるＢＳのリストを（近隣通知（MOB_NBR-ADV）メッセージを介して）ＢＳが送ること、ＢＳ間通信、ＭＳＳが近隣ＢＳをスキャンし監視すること、ＭＳＳがＢＳに電力測定値を報告すること、ＭＳＳ側起動セル再選択、ＢＳ側起動ハンドオーバ、ネットワーク管理者側起動ハンドオーバ、メークビフォアブレーク（make before break）ハンドオーバ、ブレークビフォアメーク（break before make）ハンドオーバ、ＭＳＳ／ＢＳハンドオーバ通知、ＭＳＳ／ＢＳがターゲットＢＳを列挙すること、および（MSS_PINGPONG_REPORTメッセージを介した）ピンポン現象を含む。
【課題を解決するための手段】
【０００５】
本発明は、技術間ハンドオーバ（すなわち、ＩＥＥＥ８０２．１６とＩＥＥＥ８０２．１１の間、ＩＥＥＥ８０２．１６とＧＳＭの間、ＩＥＥＥ８０２．１１からＧＰＲＳへ、ＩＥＥＥ８０２．１６とＵＭＴＳの間、など）をサポートするために、既存の手順およびメッセージ形式を拡張する。具体的には、ハンドオーバ関連メッセージ中に、新規フィールドを提案する。この新規フィールドは、近隣ＢＳ標準仕様（技術）を識別する。新規フィールドは、新たな、型−長さ−値（type-length-value：ＴＬＶ）エンコード近隣情報レコード、または既存のメッセージ（たとえば、MOB_NBR-ADV、MSS_NBR-RSP、MOB_SCAN-REPORT、MOB_BSHO-REQ、MOB_MSSHO-REQ、MOB_BSHO-RSPなど）中の新規フィールドのいずれでもよい。
【０００６】
モバイル加入者端末（ＭＳＳ）が基地局（ＢＳ）を変更する無線通信システムにおける技術間ハンドオーバを実施する方法は、最初に、ＭＳＳがハンドオーバすることができる１または複数のターゲットＢＳを見つける。各ターゲットＢＳによって使用される技術が識別され、ＭＳＳによってサポートされる技術が判定される。ＭＳＳが通信することができるターゲットＢＳに対してＭＳＳのハンドオーバが実施される。
【０００７】
ＭＳＳ、サービングＢＳ、および１または複数のターゲットＢＳを有する無線通信システムにおける技術間ハンドオーバを実施する方法は、最初に、サービングＢＳからＭＳＳに近隣通知メッセージを送る。近隣通知メッセージは、１または複数のターゲットＢＳおよび各ＢＳ向けの動作用技術を識別する。候補ＢＳのリストが識別され、１または複数のターゲットＢＳから候補ＢＳが選択される。ＭＳＳは、各候補ＢＳに同期し、各ＢＳからの信号品質を判定する。ハンドオーバ用に好ましいＢＳが判定され、好ましいＢＳへのハンドオーバが実施される。
【０００８】
近隣通知メッセージ、近隣報告メッセージ、ＢＳ側起動ハンドオーバ要求メッセージ、ＭＳＳ側起動ハンドオーバ要求メッセージ、ＢＳハンドオーバ応答メッセージ、およびハンドオーバ指示メッセージを含む、修正されたいくつかのメッセージを開示する。こうしたメッセージはそれぞれ、既存のメッセージタイプに基づいており、近隣ＢＳの動作用技術を識別する動作用技術フィールドを含む。たとえば、このフィールドは、近隣ＢＳが８０２．１１を使用するのか、それとも８０２．１６技術を使用するのかということを含み得る。
【０００９】
第１の動作用技術を用いるサービングＢＳから、第２の動作用技術を用いるターゲットＢＳへの技術間ハンドオーバを実施するように構成されたＭＳＳは、送信機／受信機、プロセッサ、第１の動作用技術部、および第２の動作用技術部を含む。プロセッサは、送信機／受信機と通信し、技術タイプ判定デバイスを含む。第１の動作用技術部は、技術タイプ判定デバイスと通信する。第２の動作用技術部は、技術タイプ判定デバイスと通信し、第１の動作用技術部とは異なる動作技術を用いるように構成される。技術タイプ判定デバイスは、サービングＢＳおよびターゲットＢＳからメッセージを受信し、メッセージを適切な動作用技術部に渡すように構成される。
【００１０】
例として挙げられ、添付の図面と併せて理解されるべき好ましい実施形態に関する以下の説明から、本発明がより詳細に理解できよう。
【発明を実施するための最良の形態】
【００１１】
以下では、「モバイル加入者端末」（ＭＳＳ）という用語は、局（ＳＴＡ）、無線送受信ユニット（ＷＴＲＵ）、ユーザ機器、固定またはモバイル加入者ユニット、ページャ、あるいは無線環境において動作することが可能な他の任意のタイプの装置も含むが、それに限定されない。これ以降で言及する場合、「基地局」（ＢＳ）という用語は、アクセスポイント（ＡＰ）、ノードＢ、サイトコントローラ、または無線環境における他のどのタイプのインタフェース装置も含むが、それに限定されない。
【００１２】
＜セル再選択（Cell Reselection）＞
図１Ａは、既存の８０２．１６セル再選択手順１００を示すフロー図である。手順１００は、ＭＳＳ１０２、サービングＢＳ（ＢＳ＃１）１０４、およびターゲットＢＳ（ＢＳ＃２）１０６を使用する。ＭＳＳ１０２が始動し（ステップ１１０）、サービングＢＳ１０４に同期する（ステップ１１２）。ＭＳＳ１０２は、サービングＢＳ１０４からダウンリンク（ＤＬ）およびアップリンク（ＵＬ）パラメータを受信する（ステップ１１４）。ＭＳＳ１０２は、システムに入り（ステップ１１６）、近隣ＢＳサーチを実施し（ステップ１１８）、近隣ＢＳを検出する（ステップ１２０）。図１Ａに示す例では、近隣ＢＳはターゲットＢＳ１０６である。
【００１３】
ＭＳＳ１０２は、ターゲットＢＳ１０６に同期し（ステップ１２２）、ターゲットＢＳ１０６からＤＬおよびＵＬパラメータを受信する（ステップ１２４）。ＭＳＳ１０２は、レンジング(ranging)要求（ＲＮＧ−ＲＥＱ）メッセージをサービングＢＳ１０４に送り、初期電力平準化およびレンジングを実施する（ステップ１２６）。サービングＢＳ１０４は、ＭＳＳの伝送時間経過(transmit time advance)および電力調整についての情報を含むレンジング応答（ＲＮＧ−ＲＳＰ）メッセージで応答する（ステップ１２８）。
【００１４】
図１Ｂは、技術間セル再選択を示すセル再選択手順１５０を示すフロー図である。手順１５０は、８０２．１１部１５４および８０２．１６部１５６を有するＭＳＳ１５２と、８０２．１６の下で動作するサービングＢＳ（ＢＳ＃１）１５８と、８０２．１１の下で動作するターゲットＢＳ（ＢＳ＃２）１６０とを使用する。ＭＳＳ１５２が始動し（ステップ１６２）、８０２．１６技術を用いてサービングＢＳ１５８に同期する（ステップ１６４）。ＭＳＳ１５２は、サービングＢＳ１０４から８０２．１６ＤＬおよびＵＬパラメータを受信する（ステップ１６６）。ＭＳＳ１５２は、８０２．１６システムに入り（ステップ１６８）、近隣ＢＳサーチを実施し（ステップ１７０）、近隣ＢＳを検出する（ステップ１７２）。図１Ｂに示す例では、近隣ＢＳはターゲットＢＳ１６０である。
【００１５】
ＭＳＳ１５２は、８０２．１１技術および８０２．１１部１５４を用いてターゲットＢＳ１６０に同期し（ステップ１７４）、ターゲットＢＳ１６０から８０２．１１ＤＬおよびＵＬパラメータを受信する（ステップ１７６）。ＭＳＳ１５２は、レンジング要求（ＲＮＧ−ＲＥＱ）メッセージをサービングＢＳ１５８に送り、初期電力平準化およびレンジングを実施する（ステップ１７８）。サービングＢＳ１５８は、ＭＳＳの伝送時間経過および電力調整についての情報を含むレンジング応答（ＲＮＧ−ＲＳＰ）メッセージで応答する（ステップ１８０）。
【００１６】
手順１５０は、一般に、サービングＢＳ１５８が８０２．１１技術を用い、ターゲットＢＳ１６０が８０２．１６技術を用いる場合も同じように動作することに留意されたい。
【００１７】
＜ＭＳＳ側起動ハンドオーバ（MSS Initiated Handover）＞
図２Ａは、既存の８０２．１６ＭＳＳ側起動ハンドオーバ手順２００を示すフロー図である。手順２００は、ＭＳＳ２０２、サービングＢＳ（ＢＳ＃１）２０４、第１のターゲットＢＳ（ＢＳ＃２）２０６、および第２のターゲットＢＳ（ＢＳ＃３）２０８を使用する。サービングＢＳ２０４は、ＭＳＳ２０２に近隣通知（MOB_NBR-ADV）メッセージを送る（ステップ２１０）。近隣通知メッセージは、ネットワークを識別し、初期ネットワークエントリまたはハンドオーバを求める潜在ＭＳＳの近隣ＢＳの特性を定義するのに使用される。図２Ａに示す例において、近隣通知メッセージは、２つの近隣ＢＳがあることを示す。
【００１８】
ＭＳＳ２０２は、サービングＢＳ２０４にスキャン間隔割り当て要求（MOB_SCN-REQ）メッセージを送る（ステップ２１２）。スキャン間隔割り当て要求メッセージは、ＭＳＳ２０２によって送られ、使用可能ＢＳを求めること、およびハンドオーバ用ターゲットとしてのその適性を判定することを目的として、スキャン間隔（要求されたスキャン期間の持続期間Ｎを含む）を要求する。サービングＢＳ２０４は、スキャン間隔割り当て要求にスキャン間隔割り当て応答（MOB_SCN-RSP）メッセージで応答するが、この応答メッセージは、スキャンがいつ始まるか（Ｍ個のフレームで表す。ステップ２１４）についての情報を含む。Ｍ個のフレームを渡された後、ＭＳＳ２０２は、近隣ＢＳサーチを開始する（ステップ２１６）。Ｎ個のフレーム分の期間（MOB_SCN-REQメッセージ中の要求通り）に渡って、ＭＳＳ２０２は第１のターゲットＢＳ２０６に同期し、信号レベル、干渉レベル、およびノイズレベルの測定を行い（ステップ２１８）、ＭＳＳ２０２は第２のターゲットＢＳ２０８に同期し、信号レベル、干渉レベル、およびノイズレベルの測定を行う（ステップ２２０）。
【００１９】
ＭＳＳ２０２は、ハンドオーバを開始したい場合、サービングＢＳ２０４にハンドオーバ要求（MOB_MSSHO-REQ）メッセージを送る（ステップ２２２）。ハンドオーバ要求メッセージは、候補ＢＳに関する報告測定基準を含み得る。図２Ａに示す例では、報告測定基準は、各ＢＳに対する搬送波対干渉雑音比（ＣＩＮＲ）の値である。サービングＢＳ２０４は、両方のターゲットＢＳ２０６、２０８にハンドオーバ事前通知メッセージを送る（ステップ２２４、２２６）。事前通知メッセージは、ＭＳＳ  ＩＤ、接続パラメータ、ＭＳＳの性能、帯域幅（ＢＷ）、および所望されるサービス品質（ＱｏＳ）など、ＭＳＳ２０２についての情報を含む。
【００２０】
第１のターゲットＢＳ２０６は、サービングＢＳ２０４にハンドオーバ事前通知応答メッセージを送る（ステップ２２８）。事前通知応答には、事前通知メッセージが受信されたという肯定応答（ＡＣＫ）と、ターゲットＢＳが提供することができるＱｏＳレベルと、ターゲットＢＳの識別情報と、いくつかのオーバーヘッドフィールドとが含まれる。第２のターゲットＢＳ２０８も、サービングＢＳ２０４にハンドオーバ事前通知応答メッセージを送る（ステップ２３０）。ステップ２２８および２３０で送られるメッセージは、順序を逆にしてもよいことに留意されたい。図２Ａに示す例では、第１のターゲットＢＳ２０６は、ＭＳＳによる要求よりも低いＱｏＳしか提供することができないが、第２のターゲットＢＳ２０８は、要求されたＱｏＳレベルを提供することができる。
【００２１】
事前通知応答メッセージを受信すると、サービングＢＳ２０４は、どちらのターゲットＢＳが、より優れたサービスをＭＳＳ２０２に提供することができるかを、各ターゲットＢＳの性能を、ＭＳＳ２０２によって要求されたパラメータと突き合わせて評価することによって判定する。図２Ａに示すように、要求されたＱｏＳレベルを提供することができるので、第２のターゲットＢＳ２０８が選択される。サービングＢＳ２０４は、第２のターゲットＢＳ２０８にハンドオーバ確認メッセージを送る（ステップ２３２）。サービングＢＳ２０４はまた、ＭＳＳ２０２に対して、ハンドオーバが第２のターゲットＢＳ２０８向けであることを示すハンドオーバ応答（MOB_HO-RSP）メッセージを送る（ステップ２３４）。ステップ２３２および２３４は、手順２００の全体的性能を変えることなく、順序を逆にできることに留意されたい。
【００２２】
ＭＳＳ２０２は、ハンドオーバの実施間近であるという最終指示としてのハンドオーバ指示（MOB_HO-IND）メッセージを、サービングＢＳ２０４に送る（ステップ２３６）。ＭＳＳ２０２がそのハンドオーバをキャンセルまたは拒否するつもりである場合、そのハンドオーバ指示メッセージは、サービングＢＳ２０４にそのことを知らせる。ハンドオーバ指示メッセージは、ＭＳＳ２０２がハンドオーバを開始する時間パラメータ（Ｌ個のフレーム）を含む。ＭＳＳ２０２は、第２のターゲットＢＳ２０８に同期し（ステップ２３８）、レンジング要求（RNG-REQ）メッセージを第２のターゲットＢＳ２０８に送り、初期電力平準化およびレンジングを実施する（ステップ２４０）。第２のターゲットＢＳ２０８は、ＭＳＳの伝送時間経過および電力調整についての情報を含むレンジング応答（RNG-RSP）メッセージで応答する（ステップ２４２）。
【００２３】
図２Ｂは、技術間のＭＳＳ側起動ハンドオーバ手順２５０を示すフロー図である。手順２５０は、８０２．１１部２５４および８０２．１６部２５６を有するＭＳＳ２５２と、８０２．１６技術を用いるサービングＢＳ（ＢＳ＃１）２５８と、８０２．１６技術を用いる第１のターゲットＢＳ（ＢＳ＃２）２６０と、８０２．１１技術を用いる第２のターゲットＢＳ（ＢＳ＃３）２６２とを使用する。サービングＢＳ２５８は、ＭＳＳ２５２の８０２．１６部２５６に、近隣通知（MOB_NBR-ADV）メッセージを送る（ステップ２６４）。近隣通知メッセージは、ネットワークを識別し、初期ネットワークエントリまたはハンドオーバを求める潜在ＭＳＳの近隣ＢＳの特性を定義するのに使用される。近隣通知メッセージは、各ターゲットＢＳ用の技術タイプを含む。図２Ｂに示す例では、近隣通知メッセージは、２つの近隣ＢＳがあり、一方は８０２．１６技術を用い、他方は８０２．１１技術を用いることを示す。ＭＳＳは、各潜在ターゲットＢＳによって用いられる技術タイプをも追跡する。
【００２４】
ＭＳＳ２５２は、サービングＢＳ２５８にスキャン間隔割り当て要求（MOB_SCN-REQ）メッセージを送る（ステップ２６６）。スキャン間隔割り当て要求メッセージは、使用可能ＢＳを求め、ハンドオーバ用のターゲットとしてのその適性を判定する目的で、スキャン間隔（要求されたスキャン期間の持続期間Ｎを含む）を要求するために、ＭＳＳ２５２によって送られる。サービングＢＳ２５８は、スキャン間隔割り当て要求に対してスキャン間隔割り当て応答（MOB_SCN-RSP）メッセージで応答し、この応答メッセージは、いつスキャンが始まる（Ｍ個のフレームで表す。ステップ２６８）かについての情報を含む。Ｍ個のフレームを渡された後、ＭＳＳ２５２は、近隣ＢＳサーチを開始する（ステップ２７０）。Ｎ個のフレーム分の期間（MOB_SCN-REQメッセージ中で要求された通り）に渡って、ＭＳＳ２５２は第１のターゲットＢＳ２６０に同期し、信号レベル、干渉レベル、およびノイズレベルの測定を行い（ステップ２７２）、ＭＳＳ２５２は第２のターゲットＢＳ２６２に同期し、信号レベル、干渉レベル、およびノイズレベルの測定を行う（ステップ２７４）。
【００２５】
ＭＳＳ２５２は、ハンドオーバを開始したい場合、サービングＢＳ２５８にハンドオーバ要求（MOB_MSSHO-REQ）メッセージを送る（ステップ２７６）。たとえば、２通りの技術で動作し、同じ信号強度を提供する複数のターゲットＢＳが存在する場合、ＭＳＳは、ハンドオーバ用の好ましい技術タイプを要求できることに留意されたい。ただし、展開の観点からは、概して、同じ技術においてハンドオーバを実施する方がより容易である。というのは、動作技術の変更は、動作技術を変更するのに必要とされる比較的長い時間のせいで、データを失う危険を生じさせるからである。
【００２６】
ハンドオーバ要求メッセージは、候補ＢＳに関する報告測定基準を含み得る。図２Ｂに示す例では、報告測定基準は、各ＢＳのＣＩＮＲ値である。サービングＢＳ２５８は、両方のターゲットＢＳ２６０、２６２にハンドオーバ事前通知メッセージを送る（ステップ２７８、２８０）。事前通知メッセージは、ＭＳＳ  ＩＤ、接続パラメータ、ＭＳＳの性能、ＢＷ、および所望されるＱｏＳなど、ＭＳＳ２５２についての情報を含む。
【００２７】
第１のターゲットＢＳ２６０は、サービングＢＳ２５８にハンドオーバ事前通知応答メッセージを送る（ステップ２８２）。事前通知応答は、事前通知メッセージが受信されたというＡＣＫと、ターゲットＢＳが提供することができるＱｏＳとを含む。第２のターゲットＢＳ２６２も、サービングＢＳ２５８にハンドオーバ事前通知応答メッセージを送る（ステップ２８４）。ステップ２８２および２８４で送られるメッセージは、順序を逆にしてもよいことに留意されたい。図２Ｂに示す例では、第１のターゲットＢＳ２６０は、ＭＳＳによる要求よりも低いＱｏＳしか提供することができないが、第２のターゲットＢＳ２６２は、要求されたＱｏＳレベルを提供することができる。
【００２８】
事前通知応答メッセージを受信すると、サービングＢＳ２５８は、どちらのターゲットＢＳが、より優れたサービスをＭＳＳ２５２に提供することができるかを、各ターゲットＢＳの性能を、ＭＳＳ２５２によって要求されたパラメータに突き合わせて評価することによって判定する。図２Ｂに示すように、要求されたＱｏＳレベルを提供することができるので、第２のターゲットＢＳ２６２が選択される。サービングＢＳ２５８は、第２のターゲットＢＳ２６２にハンドオーバ確認メッセージを送る（ステップ２８６）。サービングＢＳ２５８はまた、ハンドオーバが第２のターゲットＢＳ２６２に対するものであることを示すハンドオーバ応答（MOB_HO_RSP）メッセージを、ＭＳＳ２５２に送る（ステップ２８８）。ステップ２８６および２８８は、手順２５０の全体的性能を変えることなく、順序を逆にできることに留意されたい。
【００２９】
ＭＳＳ２５２は、ハンドオーバを実施間近であるという最終指示としてのハンドオーバ指示（MOB_HO-IND）メッセージを、サービングＢＳ２５８に送る（ステップ２９０）。ＭＳＳ２５２がハンドオーバをキャンセルまたは拒否するつもりである場合、ハンドオーバ指示メッセージは、サービングＢＳ２５８にそのことを知らせる。ハンドオーバ指示メッセージは、ＭＳＳ２５２がハンドオーバをその後に開始する時間パラメータ（Ｌ個のフレーム）を含む。ＭＳＳ２５２は、８０２．１１技術を用いて第２のターゲットＢＳ２６２に同期し（ステップ２９２）、初期電力平準化およびレンジングを実施するためのレンジング要求（RNG-REQ）メッセージを第２のターゲットＢＳ２６２に送る（ステップ２９４）。第２のターゲットＢＳ２６２は、ＭＳＳの伝送時間経過および電力調整についての情報を含むレンジング応答（RNG-RSP）メッセージで応答する（ステップ２９６）。
【００３０】
＜ＢＳ側起動ハンドオーバ＞
図３Ａは、既存の８０２．１６ＢＳ側起動ハンドオーバ手順３００を示すフロー図である。手順３００は、ＭＳＳ３０２、サービングＢＳ（ＢＳ＃１）３０４、第１のターゲットＢＳ（ＢＳ＃２）３０６、および第２のターゲットＢＳ（ＢＳ＃３）３０８を使用する。サービングＢＳ３０４は、ＭＳＳ３０２に近隣通知（MOB_NBR-ADV）メッセージを送る（ステップ３１０）。近隣通知メッセージは、ネットワークを識別し、初期ネットワークエントリまたはハンドオーバを求める潜在ＭＳＳの近隣ＢＳの特性を定義するのに使用される。図３Ａに示す例において、近隣通知メッセージは、２つの近隣ＢＳがあることを示す。
【００３１】
サービングＢＳ３０４は、ハンドオーバを開始し（ステップ３１２）、両方のターゲットＢＳ３０６、３０８にハンドオーバ事前通知メッセージを送る（ステップ３１４、３１６）。事前通知メッセージは、ＭＳＳ  ＩＤ、接続パラメータ、ＭＳＳの性能、ＢＷ、および所望されるＱｏＳなど、ＭＳＳ３０２についての情報を含む。サービングＢＳ３０４は次いで、ＭＳＳ３０２にハンドオーバ要求（MOB_BSHO-REQ）メッセージを送る（ステップ３１８）。ハンドオーバ要求メッセージは、ＭＳＳ３０２が調査するべき推奨ＢＳのリストを含む。図３Ａでは、ハンドオーバ要求メッセージは、ＢＳ＃２およびＢＳ＃３が推奨ＢＳのリストにあることを示す。
【００３２】
ＭＳＳ３０２は、近隣ＢＳサーチを開始し（ステップ３２０）、サービングＢＳ３０４によって推奨されるＢＳをそれぞれ調査する。ＭＳＳ３０２が近隣ＢＳサーチを実施している間、サービングＢＳ３０４は、第１のターゲットＢＳ３０６および第２のターゲットＢＳ３０８からハンドオーバ事前通知応答メッセージを受信する（ステップ３２２、３２４）。事前通知応答は、事前通知メッセージが受信されたというＡＣＫと、ターゲットＢＳが提供することができるＱｏＳとを含む。ＭＳＳ３０２は第１のターゲットＢＳ３０６に同期し、信号レベル、干渉レベル、およびノイズレベルの測定を行い（ステップ３２６）、ＭＳＳ３０２は第２のターゲットＢＳ３０８に同期し、信号レベル、干渉レベル、およびノイズレベルの測定を行う（ステップ３２８）。
【００３３】
ターゲットＢＳの測定を完了した後、ＭＳＳ３０２は、各ターゲットＢＳのＣＩＮＲ値を含むハンドオーバ応答（MOB_MSSHO-RSP）メッセージを、サービングＢＳ３０４に送る（ステップ３３０）。サービングＢＳ３０４は、どちらのターゲットＢＳが、より優れたサービスをＭＳＳ３０２に提供することができるかを、ハンドオーバ事前通知メッセージ中のパラメータと突き合わせて各ターゲットＢＳの性能を評価することによって判定する。図３Ａに示すように、第２のターゲットＢＳ３０８が、要求されたＱｏＳレベルを提供することができるので、選択される。サービングＢＳ３０４は、ハンドオーバが第２のターゲットＢＳ３０８に対するものであることを示すハンドオーバ応答（MOB_HO-RSP）メッセージを、ＭＳＳ３０２に送る（ステップ３３２）。サービングＢＳ３０４はまた、第２のターゲットＢＳ３０８にハンドオーバ確認メッセージを送る（ステップ３３４）。
【００３４】
ＭＳＳ３０２は、ハンドオーバを実施間近であるという最終指示としてのハンドオーバ指示（MOB_HO-IND）メッセージを、サービングＢＳ３０４に送る（ステップ３３６）。ＭＳＳ３０２がハンドオーバをキャンセルまたは拒否するつもりである場合、ハンドオーバ指示メッセージは、サービングＢＳ３０４にそのことを知らせる。ハンドオーバ指示メッセージは、ＭＳＳ３０２がハンドオーバを開始する時間パラメータ（Ｌ個のフレーム）を含む。ＭＳＳ３０２は、第２のターゲットＢＳ３０８に同期し（ステップ３３８）、初期電力平準化およびレンジングを実施するためのレンジング要求（RNG-REQ）メッセージを、第２のターゲットＢＳ３０８に送る（ステップ３４０）。第２のターゲットＢＳ３０８は、ＭＳＳの伝送時間経過および電力調整についての情報を含むレンジング応答（RNG-RSP）メッセージで応答する（ステップ３４２）。
【００３５】
図３Ｂは、技術間のＢＳ側起動ハンドオーバ手順３５０を示すフロー図である。手順３００は、８０２．１１部３５４および８０２．１６部３５６を有するＭＳＳ３５２と、８０２．１６技術を用いるサービングＢＳ（ＢＳ＃１）３５８と、８０２．１６技術を用いる第１のターゲットＢＳ（ＢＳ＃２）３６０と、８０２．１１技術を用いる第２のターゲットＢＳ（ＢＳ＃３）３６２とを使用する。サービングＢＳ３５８は、ＭＳＳ３５２の８０２．１６部３５６に近隣通知（MOB_NBR-ADV）メッセージを送る（ステップ３６４）。近隣通知メッセージは、ネットワークを識別し、初期ネットワークエントリまたはハンドオーバを求める潜在ＭＳＳの近隣ＢＳの特性を定義するのに使用される。近隣通知メッセージは、各ターゲットＢＳ用の技術タイプを含む。図３Ｂに示す例では、近隣通知メッセージは、２つの近隣ＢＳがあり、一方は８０２．１６技術を用い、他方は８０２．１１技術を用いることを示す。
【００３６】
サービングＢＳ３５８は、ハンドオーバを開始し（ステップ３６６）、両方のターゲットＢＳ３６０、３６２にハンドオーバ事前通知メッセージを送る（ステップ３６８、３７０）。事前通知メッセージは、ＭＳＳ  ＩＤ、接続パラメータ、ＭＳＳの性能、ＢＷ、および所望されるＱｏＳなど、ＭＳＳ３５２についての情報を含む。サービングＢＳ３５８は次いで、ＭＳＳ３５２にハンドオーバ要求（MOB_BSHO-REQ）メッセージを送る（ステップ３７２）。ハンドオーバ要求メッセージは、ＭＳＳ３５２が調査するべき推奨ＢＳのリストと、各推奨ターゲットＢＳの技術タイプとを含む。図３Ｂでは、ハンドオーバ要求メッセージは、ＢＳ＃２およびＢＳ＃３が推奨ＢＳのリストにあることを示す。
【００３７】
ＭＳＳ３５２は、近隣ＢＳサーチを開始し（ステップ３７４）、サービングＢＳ３５８によって推奨されるＢＳをそれぞれ調査する。ＭＳＳ３５２が近隣ＢＳサーチを実施している間、サービングＢＳ３５８は、第１のターゲットＢＳ３６０および第２のターゲットＢＳ３６２からハンドオーバ事前通知応答メッセージを受信する（ステップ３７６、３７８）。事前通知応答は、事前通知メッセージが受信されたというＡＣＫと、ターゲットＢＳが提供することができるＱｏＳとを含む。ＭＳＳ３５２は第１のターゲットＢＳ３６０に同期し、信号レベル、干渉レベル、およびノイズレベルの測定を行い（ステップ３８０）、ＭＳＳ３５２は第２のターゲットＢＳ３６２に同期し、信号レベル、干渉レベル、およびノイズレベルの測定を行う（ステップ３８２）。
【００３８】
ターゲットＢＳの測定を完了した後、ＭＳＳ３５２は、各ターゲットＢＳのＣＩＮＲ値を含むハンドオーバ応答（MOB_MSSHO-RSP）メッセージを、サービングＢＳ３５８に送る（ステップ３８４）。サービングＢＳ３５８は、どちらのターゲットＢＳが、より優れたサービスをＭＳＳ３５２に提供することができるかを、ハンドオーバ事前通知メッセージ中のパラメータと突き合わせて各ターゲットＢＳの性能を評価することによって判定する。図３Ｂに示すように、第２のターゲットＢＳ３６２が、要求されたＱｏＳレベルを提供することができるので、選択される。サービングＢＳ３５８は、ハンドオーバが第２のターゲットＢＳ３６２に対するものであり、８０２．１１技術を用いることを示すハンドオーバ応答（MOB_HO-RSP）メッセージを、ＭＳＳ３５２に送る（ステップ３８６）。サービングＢＳ３５８はまた、第２のターゲットＢＳ３６２にハンドオーバ確認メッセージを送る（ステップ３８８）。
【００３９】
ＭＳＳ３５２は、ハンドオーバを実施間近であるという最終指示としてのハンドオーバ指示（MOB_HO-IND）メッセージを、サービングＢＳ３５８に送る（ステップ３９０）。ＭＳＳ３５２がハンドオーバをキャンセルまたは拒否するつもりである場合、ハンドオーバ指示メッセージは、サービングＢＳ３５８にそのことを知らせる。ハンドオーバ指示メッセージは、ＭＳＳ３５２がハンドオーバを開始する時間パラメータ（Ｌ個のフレーム）を含む。ＭＳＳ３５２は、８０２．１６技術からＭＳＳを解放するための解放手順を実施する（ステップ３９２）。ＭＳＳ３５２は、第２のターゲットＢＳ３６２に同期し（ステップ３９４）、初期電力平準化およびレンジングを実施するためのレンジング要求（RNG-REQ）メッセージを、第２のターゲットＢＳ３６２に送る（ステップ３９６）。第２のターゲットＢＳ３６２は、ＭＳＳの伝送時間経過および電力調整についての情報を含むレンジング応答（RNG-RSP）メッセージで応答する（ステップ３９８）。
【００４０】
＜近隣通知（MOB_NBR-ADV）メッセージ＞
図４Ａは、既存の近隣通知メッセージ４００を示す図である。メッセージ４００は、管理メッセージタイプフィールド４０２、オペレータＩＤフィールド４０４、近隣数フィールド４０６、各近隣ＢＳ用情報ブロック４０８、およびハッシュされたメッセージ認証コード（ＨＭＡＣ）タプル（Tuple）４１０を含む。各近隣情報ブロック４０８は、近隣ＢＳ  ＩＤ４１２、近隣ＢＳ４１４向けのＤＬ物理周波数、構成変更カウントフィールド４１６、およびｔｙｐｅ−ｌｅｎｇｔｈ−ｖａｌｕｅ（ＴＬＶ）エンコード近隣情報４１８を含む。
【００４１】
管理メッセージタイプフィールド４０２は、メッセージを近隣通知メッセージとして識別するのに使用される。オペレータＩＤフィールド４０４は、ＢＳ連合によって共有される一意のネットワークＩＤを含む。近隣数フィールド４０６は、通知を行っている近隣ＢＳの数のカウントを含む。ＨＭＡＣタプル４１０は、メッセージ４００の内容を検証するのに使用される。
【００４２】
近隣ＢＳ  ＩＤフィールド４１２は、近隣ＢＳ用の一意のＩＤを含む。ＤＬ物理周波数フィールド４１４は、近隣ＢＳ向けのＤＬ中心周波数を含む。構成変更カウントフィールド４１６は、含まれるデータ要素に関する値のいずれかが変化する度に増分される。変更カウント４１６が、以前の通知メッセージ中のものと同じ場合、何も変化していないので、ＭＳＳは、メッセージ全体を無視してもよい。ＴＬＶエンコード近隣情報４１８は、ダウンリンクチャネル記述子（ＤＣＤ）設定およびアップリンクチャネル記述子（ＵＣＤ）設定など、変数パラメータを含み得る。
【００４３】
図４Ｂは、動作用技術情報を含む近隣通知メッセージ４５０を示す図である。メッセージ４５０は、メッセージ４００を基にしている。すなわち、メッセージ４５０中のフィールド４０２〜４１８は、メッセージ４００の場合と同じである。メッセージ４５０中の付加情報は、各近隣情報ブロック４０８とともに含まれる動作用技術フィールド４５２である。動作用技術フィールド４５２は、近隣ＢＳ用の動作用技術（たとえば、８０２．１１や８０２．１６）を識別するのに使用される。
【００４４】
代替実施形態（図示せず）では、動作用技術情報は、新規の値としてＴＬＶエンコード近隣情報４１８中に置くことができ、動作用技術フィールド４５２は必要とされない。たとえば、動作技術タイプは、以下のように１バイトにエンコードすることができる。
【００４５】
【表１】
2008535401.tif 000003
【００４６】
他の動作用技術タイプも、同様にエンコードすることができる。
【００４７】
図４Ａおよび４Ｂに示す近隣通知メッセージ４００、４５０は、ＢＳによって周期的に送られる。近隣ＢＳ情報が入手可能でない場合、メッセージを送信する必要はない。
【００４８】
＜近隣報告（MSS_NBR-REP）メッセージ＞
図５Ａは、既存のＭＳＳ近隣報告メッセージ５００を示す図である。メッセージ５００は、管理メッセージタイプフィールド５０２、近隣数フィールド５０４、および各近隣ＢＳ用の情報ブロック５０６を含む。各近隣情報ブロック５０６は、近隣ＢＳ  ＩＤ５０８、近隣ＢＳ用の物理周波数フィールド５１０、およびＴＬＶエンコード近隣情報５１２を含む。
【００４９】
管理メッセージタイプフィールド５０２は、メッセージを近隣報告メッセージとして識別するのに使用される。近隣数フィールド５０４は、報告を行っている近隣ＢＳの数のカウントを含む。近隣ＢＳ  ＩＤフィールド５０８は、近隣ＢＳ用の一意のＩＤを含む。物理周波数フィールド５１０は、近隣ＢＳ向けのＤＬ中心周波数を含む。ＴＬＶエンコード近隣情報５１２は、ＤＣＤ設定およびＵＣＤ設定などの変数パラメータを含み得る。
【００５０】
図５Ｂは、動作用技術情報を含むＭＳＳ近隣報告メッセージ５５０を示す図である。メッセージ５５０は、メッセージ５００を基にしている。すなわち、メッセージ５５０中のフィールド５０２〜５１２は、メッセージ５００の場合と同じである。メッセージ５５０中の付加情報は、各近隣情報ブロック５０６とともに含まれる動作用技術フィールド５５２である。動作用技術フィールド５５２は、近隣ＢＳ用の動作用技術（たとえば、８０２．１１や８０２．１６）を識別するのに使用される。
【００５１】
図５Ａおよび５Ｂに示すＭＳＳ近隣報告メッセージ５００、５５０は、ＢＳによって周期的に送られる。近隣ＢＳ情報が入手可能でない場合、メッセージを送信する必要はない。
【００５２】
＜ＢＳハンドオーバ要求（MOB_BSHO-REQ）メッセージ＞
図６Ａは、既存のＢＳハンドオーバ要求メッセージ６００を示す図である。メッセージ６００は、管理メッセージタイプフィールド６０２、ネットワーク支援ハンドオーバーサポートフィールド６０４、各近隣ＢＳ用の情報ブロック６０６、およびＨＭＡＣタプル６０８を含む。各近隣情報ブロック６０６は、近隣ＢＳ  ＩＤ６１０およびサービスレベル予測フィールド６１２を含む。
【００５３】
管理メッセージタイプフィールド６０２は、メッセージをＢＳハンドオーバ要求メッセージとして識別するのに使用される。ネットワーク支援ハンドオーバーサポートフィールド６０４は、サービングＢＳがネットワーク支援ハンドオーバをサポートするかどうかを示す。ＨＭＡＣタプル６０８は、メッセージ６００の内容を検証するのに使用される。近隣ＢＳ  ＩＤフィールド６１０は、近隣ＢＳ用の一意のＩＤを含む。サービスレベル予測フィールド６１２は、ＭＳＳが近隣ＢＳに対して期待するであろうサービスのレベルを示す。このレベルは、サービスなし、一部のサービス、全サービス、または予測不可能という指示を含み得る。
【００５４】
図６Ｂは、動作用技術情報を含むＢＳハンドオーバ要求メッセージ６５０を示す図である。メッセージ６５０は、メッセージ６００を基にしている。すなわち、メッセージ６５０中のフィールド６０２〜６１２は、メッセージ６００の場合と同じである。メッセージ６５０中の付加情報は、各近隣情報ブロック６０６とともに含まれる動作用技術フィールド６５２である。動作用技術フィールド６５２は、近隣ＢＳ用の動作用技術（たとえば、８０２．１１や８０２．１６）を識別するのに使用される。
【００５５】
図６Ａおよび６Ｂに示すＢＳハンドオーバ要求メッセージ６００、６５０は、ハンドオーバを開始するために、ＢＳによって送られる。ＭＳＳは、推奨近隣ＢＳ（サービングＢＳを含み得る）のリストをスキャンし、識別された任意のＢＳを、サービングＢＳに通知することなく選択することができる。
【００５６】
＜ＭＳＳハンドオーバ要求（MOB_MSSHO-REQ）メッセージ＞
図７Ａは、既存のＭＳＳハンドオーバ要求メッセージ７００を示す図である。ＭＳＳハンドオーバ要求メッセージ７００は、ハンドオーバを開始するために、ＭＳＳによって送られる。メッセージ７００は、管理メッセージタイプフィールド７０２、各近隣ＢＳ用の情報ブロック７０４、推定ハンドオーバ開始フィールド７０６、およびＨＭＡＣタプル７０８を含む。各近隣情報ブロック７０４は、近隣ＢＳ  ＩＤ７１０、ＢＳ  ＣＩＮＲ平均値フィールド７１２、およびサービスレベル予測フィールド７１４を含む。
【００５７】
管理メッセージタイプフィールド７０２は、メッセージをハンドオーバ要求メッセージとして識別するのに使用される。推定ハンドオーバ開始フィールド７０６は、推奨ターゲットＢＳ向けのハンドオーバ開始時刻（フレームで示す）を含む。ＨＭＡＣタプル７０８は、メッセージ７００の内容を検証するのに使用される。近隣ＢＳ  ＩＤフィールド７１０は、近隣ＢＳ用の一意のＩＤを含む。ＢＳ  ＣＩＮＲ平均値フィールド７１２は、特定のＢＳのＤＬ信号に対してＭＳＳで測定されたｄＢでＣＩＮＲを示す。サービスレベル予測フィールド７１４は、ＭＳＳが近隣ＢＳに対して期待するであろうサービスのレベルを示す。このレベルは、サービスなし、一部のサービス、全サービス、または予測不可能という指示を含み得る。
【００５８】
図７Ｂは、動作用技術情報を含むＭＳＳハンドオーバ要求メッセージ７５０を示す図である。メッセージ７５０は、メッセージ７００を基にしている。すなわち、メッセージ７５０中のフィールド７０２〜７１４は、メッセージ７００の場合と同じである。メッセージ７５０中の付加情報は、各近隣情報ブロック７０４とともに含まれる動作用技術フィールド７５２である。動作用技術フィールド７５２は、近隣ＢＳ用の動作用技術（たとえば、８０２．１１や８０２．１６）を識別するのに使用される。
【００５９】
＜ＢＳハンドオーバ応答（MOB_BSHO-RSP）メッセージ＞
図８Ａは、既存のＢＳハンドオーバ応答メッセージ８００を示す図である。ＢＳハンドオーバ応答メッセージ８００は、ＭＳＳハンドオーバ要求メッセージに応答するために、ＭＳＳに送られる。メッセージ８００は、管理メッセージタイプフィールド８０２、推定ハンドオーバ開始フィールド８０４、各近隣ＢＳ用の情報ブロック８０６、およびＨＭＡＣタプル８０８を含む。各近隣情報ブロック８０６は、近隣ＢＳ  ＩＤ８１０およびサービスレベル予測フィールド８１２を含む。
【００６０】
管理メッセージタイプフィールド８０２は、メッセージをハンドオーバ応答メッセージとして識別するのに使用される。推定ハンドオーバ開始フィールド８０４は、推奨ターゲットＢＳ向けのハンドオーバ開始時刻（フレームで示す）を含む。ＨＭＡＣタプル８０８は、メッセージ８００の内容を検証するのに使用される。近隣ＢＳ  ＩＤフィールド８１０は、近隣ＢＳ用の一意のＩＤを含む。サービスレベル予測フィールド８１２は、ＭＳＳが近隣ＢＳに対して期待するであろうサービスのレベルを示す。このレベルは、サービスなし、一部のサービス、全サービス、または予測不可能という指示を含み得る。
【００６１】
図８Ｂは、動作用技術情報を含むＢＳハンドオーバ応答メッセージ８５０を示す図である。メッセージ８５０は、メッセージ８００を基にしている。すなわち、メッセージ８５０中のフィールド８０２〜８１２は、メッセージ８００の場合と同じである。メッセージ８５０中の付加情報は、各近隣情報ブロック８０６とともに含まれる動作用技術フィールド８５２である。動作用技術フィールド８５２は、近隣ＢＳ用の動作用技術（たとえば、８０２．１１や８０２．１６）を識別するのに使用される。
【００６２】
＜ハンドオーバ指示（MOB_HO-IND）メッセージ＞
図９Ａは、既存のハンドオーバ指示メッセージ９００を示す図である。ハンドオーバ指示メッセージ９００は、ハンドオーバが始まり、キャンセルされ、または拒否されるという最終指示のためにＭＳＳによって送られる。メッセージ９００は、管理メッセージタイプフィールド９０２、予約フィールド９０４、ハンドオーバ指示タイプ（ＨＯ＿ＩＮＤ＿ｔｙｐｅ）フィールド９０６、ターゲットＢＳ  ＩＤフィールド９０８、およびＨＭＡＣタプル９１０を含む。
【００６３】
管理メッセージタイプフィールド９０２は、メッセージをハンドオーバ指示メッセージとして識別するのに使用される。ハンドオーバ指示タイプフィールド９０６は、サービングＢＳがＭＳＳを解放するのか、ハンドオーバがキャンセルされるのか、それともハンドオーバが拒否されるのかを指示する。ターゲットＢＳ  ＩＤフィールド９０８は、ハンドオーバターゲットＢＳのＩＤを含み、このフィールドは、ハンドオーバが実施される場合のみ使用される。ＨＭＡＣタプル９１０は、メッセージ９００の内容を検証するのに使用される。
【００６４】
図９Ｂは、動作用技術情報を含むハンドオーバ指示メッセージ９５０を示す図である。メッセージ９５０は、メッセージ９００を基にしている。すなわち、メッセージ９５０中のフィールド９０２〜９１０は、メッセージ９００の場合と同じである。メッセージ９５０中の付加情報は、近隣ＢＳ用の動作用技術（たとえば、８０２．１１や８０２．１６）を識別するのに使用される動作用技術フィールド９５２である。
【００６５】
＜動作用技術情報を使用するように構成されたシステム＞
図１０は、動作用技術情報フィールドを使用するように構成されたシステム１０００を示すブロック図である。このシステムは、多様な技術が可能なＭＳ１００２、８０２．１６技術を用いるサービングＢＳ１００４、および８０２．１１技術を用いるターゲットＢＳ１００６を含む。ＭＳ１００２は、送信機／受信機１０１０、プロセッサ１０１２、８０２．１６部１０１４、および８０２．１１部１０１６を含む。プロセッサ１０１２は、信号プロセッサ１０１８および技術タイプ判定デバイス１０２０を含む。
【００６６】
サービングＢＳ１００４は、送信機／受信機１０３０およびプロセッサ１０３２を含む。ターゲットＢＳ１００６は、送信機／受信機１０４０およびプロセッサ１０４２を含む。
【００６７】
動作中、ＭＳ１００２は、８０２．１６技術を用いてサービングＢＳ１００４と通信する。サービングＢＳ１００４内の送信機／受信機１０３０は、ＭＳ１００２に信号を送る。ＭＳ１００２内の送信機／受信機１０１０は、信号を受信し、信号プロセッサ１０１８に渡す。技術タイプ判定デバイス１０２０は、ＭＳ１００２に信号を送るのに、どの技術（この例では、８０２．１６または８０２．１１のいずれか）が使われたか判定するように構成される。信号が８０２．１６技術を用いている場合、判定装置１０２０は、さらに処理するために、８０２．１６部１０１４に信号を転送する。信号が８０２．１１技術を用いている場合、判定装置１０２０は、さらに処理するために、８０２．１１部１０１６に信号を転送する。
【００６８】
たとえば、近隣通知メッセージがターゲットＢＳ１００６によって送られるとき、プロセッサ１０４２は、ターゲットＢＳが８０２．１１技術を用いることを示す動作用技術情報フィールドを、メッセージ中に含める。メッセージは次いで、ＭＳ１００２に送られ、そこで、判定装置１０２０によって８０２．１１部１０１６に転送される。同様に、サービングＢＳ１００４が近隣通知メッセージを送るとき、プロセッサ１０３２は、サービングＢＳが８０２．１６技術を用いることを示す動作用技術情報フィールドを、メッセージ中に含める。メッセージは次いで、ＭＳ１００２に送られ、そこで、判定装置１０２０によって８０２．１６部１０１４に転送される。判定装置１０２０は、動作用技術情報フィールドを読んで、どの動作技術が使われているか判定するように構成される。
【００６９】
本発明の特徴および要素を、好ましい実施形態において特定の組合せで説明したが、各特徴または要素は、（好ましい実施形態の他の特徴および要素なしで）単独で利用することも、本発明の他の特徴および要素とともに、または伴わずに様々な組合せで利用することもできる。
【図面の簡単な説明】
【００７０】
【図１Ａ】既存のセル再選択手順を示すフロー図である。
【図１Ｂ】技術間セル再選択を示すセル再選択手順を示すフロー図である。
【図２Ａ】既存のＭＳＳ側起動ハンドオーバ手順を示すフロー図である。
【図２Ｂ】技術間のＭＳＳ側起動ハンドオーバ手順を示すフロー図である。
【図３Ａ】既存のＢＳ側起動ハンドオーバ手順を示すフロー図である。
【図３Ｂ】技術間のＢＳ側起動ハンドオーバ手順を示すフロー図である。
【図４Ａ】既存の近隣通知メッセージを示す図である。
【図４Ｂ】動作用技術情報を含む近隣通知メッセージを示す図である。
【図５Ａ】既存のＭＳＳ近隣報告メッセージを示す図である。
【図５Ｂ】動作用技術情報を含むＭＳＳ近隣報告メッセージを示す図である。
【図６Ａ】既存のＢＳハンドオーバ要求メッセージを示す図である。
【図６Ｂ】動作用技術情報を含むＢＳハンドオーバ要求メッセージを示す図である。
【図７Ａ】既存のＭＳＳハンドオーバ要求メッセージを示す図である。
【図７Ｂ】動作用技術情報を含むＭＳＳハンドオーバ要求メッセージを示す図である。
【図８Ａ】既存のＢＳハンドオーバ応答メッセージを示す図である。
【図８Ｂ】動作用技術情報を含むＢＳハンドオーバ応答メッセージを示す図である。
【図９Ａ】既存のハンドオーバ指示メッセージを示す図である。
【図９Ｂ】動作用技術情報を含むハンドオーバ指示メッセージを示す図である。
【図１０】動作用技術情報フィールドを使用するように構成されたシステムを示すブロック図である。
【図１Ａ】
2008535401.tif 000004
【図１Ｂ】
2008535401.tif 000005
【図２Ａ】
2008535401.tif 000006
【図２Ｂ】
2008535401.tif 000007
【図３Ａ】
2008535401.tif 000008
【図３Ｂ】
2008535401.tif 000009
【図４Ａ】
2008535401.tif 000010
【図４Ｂ】
2008535401.tif 000011
【図５Ａ】
2008535401.tif 000012
【図５Ｂ】
2008535401.tif 000013
【図６Ａ】
2008535401.tif 000014
【図６Ｂ】
2008535401.tif 000015
【図７Ａ】
2008535401.tif 000016
【図７Ｂ】
2008535401.tif 000017
【図８Ａ】
2008535401.tif 000018
【図８Ｂ】
2008535401.tif 000019
【図９Ａ】
2008535401.tif 000020
【図９Ｂ】
2008535401.tif 000021
【図１０】
2008535401.tif 000022
【手続補正書】
【提出日】平成20年1月8日(2008.1.8)
【手続補正１】
【補正対象書類名】明細書
【補正対象項目名】００１４
【補正方法】変更
【補正の内容】
【００１４】
図１Ｂは、技術間セル再選択を示すセル再選択手順１５０を示すフロー図である。手順１５０は、８０２．１１部１５４および８０２．１６部１５６を有するＭＳＳ１５２と、８０２．１６の下で動作するサービングＢＳ（ＢＳ＃１）１５８と、８０２．１１の下で動作するターゲットＢＳ（ＢＳ＃２）１６０とを使用する。ＭＳＳ１５２が始動し（ステップ１６２）、８０２．１６技術を用いてサービングＢＳ１５８に同期する（ステップ１６４）。ＭＳＳ１５２は、サービングＢＳ１５８から８０２．１６ＤＬおよびＵＬパラメータを受信する（ステップ１６６）。ＭＳＳ１５２は、８０２．１６システムに入り（ステップ１６８）、近隣ＢＳサーチを実施し（ステップ１７０）、近隣ＢＳを検出する（ステップ１７２）。図１Ｂに示す例では、近隣ＢＳはターゲットＢＳ１６０である。
【手続補正２】
【補正対象書類名】明細書
【補正対象項目名】００３５
【補正方法】変更
【補正の内容】
【００３５】
図３Ｂは、技術間のＢＳ側起動ハンドオーバ手順３５０を示すフロー図である。手順３５０は、８０２．１１部３５４および８０２．１６部３５６を有するＭＳＳ３５２と、８０２．１６技術を用いるサービングＢＳ（ＢＳ＃１）３５８と、８０２．１６技術を用いる第１のターゲットＢＳ（ＢＳ＃２）３６０と、８０２．１１技術を用いる第２のターゲットＢＳ（ＢＳ＃３）３６２とを使用する。サービングＢＳ３５８は、ＭＳＳ３５２の８０２．１６部３５６に近隣通知（MOB_NBR-ADV）メッセージを送る（ステップ３６４）。近隣通知メッセージは、ネットワークを識別し、初期ネットワークエントリまたはハンドオーバを求める潜在ＭＳＳの近隣ＢＳの特性を定義するのに使用される。近隣通知メッセージは、各ターゲットＢＳ用の技術タイプを含む。図３Ｂに示す例では、近隣通知メッセージは、２つの近隣ＢＳがあり、一方は８０２．１６技術を用い、他方は８０２．１１技術を用いることを示す。
【国際調査報告】
2008535401.tif 000023
2008535401.tif 000024